Podtech/llm-jp-corpus-v4-ja_patent huggingface dataset:
(57)【要約】【課題】  本発明は、大小ゴミを投入して水が流入した場合に、水切孔の目詰まりが生じにくく、水切り性の良い、流し台用ゴミ収納器を提供することを課題とする。【解決手段】  複数のゴミ収納部を備えるとともに、各ゴミ収納部には複数の水切孔を設け、水の上流側のゴミ収納部５２に設けた水切孔５３を通った水が、水の下流側のゴミ収納部６２に流入できるように構成するとともに、水の上流側のゴミ収納部５２には、水の下流側のゴミ収納部６２に設ける水切孔６３の短径よりも、大きい短径の水切孔５３を有することを、特徴とする流し台用ゴミ収納器を提供することで、課題を解決した。【選択図】図２
2010121429.tif 000002
【特許請求の範囲】
【請求項１】
複数のゴミ収納部を備えるとともに、各ゴミ収納部には複数の水切孔を設け、水の上流側のゴミ収納部に設けた水切孔を通った水が、水の下流側のゴミ収納部に流入できるように構成するとともに、水の上流側のゴミ収納部には、水の下流側のゴミ収納部に設ける水切孔の短径よりも、大きい短径の水切孔を有することを、特徴とする流し台用ゴミ収納器。
【発明の詳細な説明】
【技術分野】
【０００１】  本発明は、流し台用ゴミ収納器、例えば台所の流し台のコーナー部に置いて使用する三角コーナーや、流し台の排水口内に取り付けて使用するストレーナー等に適したゴミ収納器に関する。
【背景技術】
【０００２】  従来の流し台用ゴミ収納器としては、１つのゴミ収納部を備え、複数の水切孔を設けたものが広く用いられている。
【発明の開示】
【発明が解決しようとする課題】
【０００３】  以上に述べた、従来の流し台用ゴミ収納器では、大小ゴミを投入して水が流入した場合に、水切孔を小さくすると、大小ゴミが絡まって、水切孔の目詰まりが生じやすく、水切り性が悪いという問題があった。一方、水切孔を大きくすると、小ゴミが水切孔を通るという難点があった。【０００４】  本発明は、このような従来の構成が有していた問題を解決しようとするものであり、大小ゴミを投入して水が流入した場合に、水切孔の目詰まりが生じにくく、水切り性の良い、流し台用ゴミ収納器を実現することを目的とするものである。
【課題を解決するための手段】
【０００５】  そして、本発明は上記目的を達成するために、複数のゴミ収納部を備えるとともに、各ゴミ収納部には複数の水切孔を設け、水の上流側のゴミ収納部に設けた水切孔を通った水が、水の下流側のゴミ収納部に流入できるように構成するとともに、水の上流側のゴミ収納部には、水の下流側のゴミ収納部に設ける水切孔の短径よりも、大きい短径の水切孔を有することを、特徴とする流し台用ゴミ収納器である。【０００６】  上記の課題解決手段による作用は次の通りである。すなわち、大小ゴミを投入して水が流入した場合に、水の上流側のゴミ収納部では、水切孔を大きくして、大ゴミが捕捉され、小ゴミと水が通るようにすることで、水切孔の目詰まりが生じにくく、水切り性を良くすることができる。水の下流側のゴミ収納部では、前記水切孔を通った小ゴミと水が流入するが、大ゴミが流入しないことから、水切孔を小さくして小ゴミを捕捉しても、大小ゴミか絡まないので、水切孔が詰まりにくく、水切り性を良くすることができる。このように、大小ゴミを複数のゴミ収納部で大小弁別して捕捉することで、水切孔が詰まりにくく、水切り性を良くすることができる。
【発明の効果】
【０００７】  上述したように本発明の構成によるゴミ収納器では、大小ゴミを投入して水が流入した場合に、水切孔の目詰まりが生じにくく、水切り性の良い、流し台用ゴミ収納器を提供できる。
【発明を実施するための最良の形態】
【０００８】  以下、本発明の実施の形態を図１、図２に基づいて説明する。【０００９】  図１、図２は、本発明における実施例であって、複数の一例として２つのゴミ収納部を備える、請求項１記載の流し台用ゴミ収納器の一例を図示したものである。なお、各ゴミ収納部には底部に複数の水切孔を設けた一例を図示したもので、各水切孔が図で見えやすいように、各ゴミ収納部の側壁を透明にした一例として図示したものである。【００１０】  図１は、２つのゴミ収納部を結合した状態の一例を図示したものである。ゴミを投入する時の状態の一例を図示している。【００１１】  図２は、２つのゴミ収納部を分離した状態の一例を図示したものである。各ゴミ収納部に収納されたゴミを、廃棄する時の状態の一例を図示している。【００１２】  図１、図２に示すように、複数の一例として２つのゴミ収納部を備えるとともに、各ゴミ収納部には複数の水切孔を設け、水の上流側のゴミ収納部５２に設けた水切孔５３を通った水が、水の下流側のゴミ収納部６２に流入できるように構成するとともに、水の上流側のゴミ収納部５２には、水の下流側のゴミ収納部６２に設ける水切孔６３の短径よりも、大きい短径の水切孔５３を有している。【００１３】  請求項１記載の流し台用ゴミ収納器の形状については、本実施例の図１、図２に示すゴミ収納器の形状は一例でありこれに限定されるものではなく、請求項１記載の形状であれば、例えばゴミ収納部を３つ以上の複数にしても良いし、各ゴミ収納部の形状を円筒状など種々な形状にしても良く、各ゴミ収納部の配置や着脱構造を種々に構成しても良く、水切孔の配置や形状や個数などを種々に構成しても良い。
【図面の簡単な説明】
【００１４】
【図１】  本発明の実施形態を示すゴミ収納器の一例の斜視図
【図２】  本発明の実施形態を示すゴミ収納器の一例の他の状態の斜視図
【符号の説明】
【００１５】５２  水の上流側のゴミ収納部
５３  水の上流側のゴミ収納部に設けた水切孔
６２  水の下流側のゴミ収納部
６３  水の下流側のゴミ収納部に設けた水切孔
【図１】
2010121429.tif 000003
【図２】
2010121429.tif 000004
(57)【要約】【課題】  洋裁をするにあたって、布地の縫い代幅を確保し裁断位置を明確かつ容易に記せるように、軸となる印付け具に筆記具を装着できるようにした縫い代マーカーを提供する。【解決手段】  軸となる印付け具（１）に筆記具保持部（３）を伴った支柱（２）を設け、筆記具（４）を装着できるようにした縫い代マーカーを特徴とする。【選択図】図１
2010121257.tif 000002
【特許請求の範囲】
【請求項１】
軸となる印付け具（１）に筆記具保持部（３）を伴う支柱（２）を設けた縫い代マーカー。
【発明の詳細な説明】
【技術分野】
【０００１】軸となる印付け具に筆記具保持部を伴う支柱を設け、筆記具を装着できるようにした縫い代マーカーに関するものである。
【背景技術】
【０００２】従来、洋裁をするにあたり、布地に縫い代幅を確保し裁断位置を明確にするためには、まず布地に型紙を固定し作品の出来上がり線を布地に記した上で、更に出来上がり線から各部に必要な縫い代幅を計測し数箇所に印をつけ、その印を線でつなぐなどしていた。その線が布地の裁断位置となり、出来上がり線からの幅が縫い代となっていた。
【発明の開示】
【発明が解決しようとする課題】
【０００３】これには次のような欠点があった。
（イ）多くの場合複数ある型紙に沿って出来上がり線を記した上で、そこから各部に必要な縫い代幅を計測し数箇所に印を付けるのに、手間や時間を費やす。
（ロ）細部や曲線部などにおいては、その作業が更に複雑となり労力を要した。
本発明は、以上のような欠点を無くすためになされたものである。
【課題を解決するための手段】
【０００４】軸となる印付け具（１）に筆記具保持部（３）を伴う支柱（２）を設け、支柱（２）に筆記具（４）を装着できるようにする。
本発明は、以上の構成によりなる縫い代マーカーである。
【発明の効果】
【０００５】筆記具が印付け具と一体になっているので、印付け具で作品の出来上がり線をなぞることで、同時に筆記具で出来上がり線と平行する線を引くことができる。印付け具から筆記具までの距離は任意で定めることができるため、各部において必要な幅を一定に確保しながら線をひくことができる。その線が布地の裁断位置となり、出来上がり線からの幅が縫い代となる。
この作業は、細部や曲線部においても容易に行える。
【発明を実施するための最良の形態】
【０００６】以下、本発明を実施するための最良の形態について説明する。
軸となる印付け具（１）に伸縮可能な支柱（２）を設ける。支柱（２）の先に筆記具保持部（３）を伴い、筆記具（４）を装着できるようにする。
本発明は以上のような構造で、これを使用する時は、筆記具と一体となった印付け具及び支柱を持って布地の上を動かすことによって、同時に支柱に取り付けた筆記具で線をひけばよい。
【図面の簡単な説明】
【０００７】
【図１】本発明の分解斜視図である。
【図２】本発明の斜視図である。
【符号の説明】
【０００８】１  印付け具
２  支柱
３  筆記具保持部
４  筆記具
【図１】
2010121257.tif 000003
【図２】
2010121257.tif 000004
(57)【要約】【課題】  汗取りガーゼの用途を満たしながら襟元を飾り、又、襟を立てて使用することにより首筋の日焼けを防げる襟付き汗取りガーゼを提供する。【解決手段】（イ）ガーゼ素材の本体（１）の上部を、張りのある素材の襟（２）で挟んで縫い付ける。（ロ）襟（２）は両面を使用のため、表側はデザイン性のあるものにし、裏側も同素材で作る。（ハ）襟（２）裏側下部に垂れ部分（３）を設け、襟首に引っ掛ける形態とする。本発明は、以上の構成よりなっている襟付き汗取りガーゼ。【選択図】図２
2010121259.tif 000002
【特許請求の範囲】
【請求項１】
（イ）ガーゼ素材の本体（１）の上部を、張りのある素材の襟（２）で挟んで縫い付ける。
（ロ）襟（２）は両面を使用のため、表側はデザイン性のあるものにし、裏側も同素材で作る。
（ハ）襟（２）裏側下部に垂れ部分（３）を設け、襟首に引っ掛ける形態とする。
本発明は、以上の構成よりなっている。
【発明の詳細な説明】
【技術分野】
【０００１】  本発明は、汗取りガーゼの用途を満たしながら襟元を飾り、又、襟を立てて使用することにより首筋の日焼けを防げる襟付き汗取りガーゼに関するものである。
【背景技術】
【０００２】  従来、汗取りガーゼは夏などに子供の背中の汗を取り、着替えの手間を省くために使用されるものであるが、１枚のガーゼで構成されている。
その為、着用時は背面の襟元から折り返したガーゼが見え、外出時に使用するのは格好が悪い。
又、襟元で折り返すだけなので首筋の日除けの効果等はない。
【発明の開示】
【発明が解決しようとする課題】
【０００３】    そのために次のような問題点があった。
（イ）襟から折り返して外に出した部分が格好悪かった。
（ロ）（イ）の理由から、便利な品であるにもかかわらず、外出時に使われることがあ        まりない。
（ハ）汗を取る一つの用途だけだった。
本発明は、これらの問題点を解決するためになされたものである。
【課題を解決するための手段】
【０００４】  （イ）ガーゼ素材の本体（１）の上部を、張りのある素材の襟（２）で挟んで縫い付け    る。
（ロ）襟（２）は両面を使用のため、表側はデザイン性のあるものにし、裏側も同素材    で作る。
（ハ）襟（２）裏側下部に垂れ部分（３）を設け、襟首に引っ掛ける形態とする。
本発明は、以上の構成よりなっている襟付き汗取りガーゼである。
【発明の効果】
【０００５】    汗取りガーゼの折り返し部分をデザイン性のある襟に仕立て、襟元を飾るアクセント  にする。
さらに、襟部分に張りを持たせ、立てて使用することによって、首筋の日除け効果を  持つ。
デザイン性のある襟を付けることにより、元々の「着替えの手間を省く」という利便  性を保ちながら外出時にも使用し易くなり、大幅に使用範囲が広がる。
襟を立てて使用することで、首筋の日除けの効果も得られる。
襟裏下部に垂れ部分を設け、立てて使用の際もガーゼ全体がずり落ちない作りになっ  ている。
【発明を実施するための最良の形態】
【０００６】    以下、本発明の実施の形態を説明する。
（イ）ガーゼ素材の本体（１）の上部を、張りのある素材の襟（２）で挟んで縫い付け    る。
（ロ）襟（２）は両面を使用のため、表側はデザイン性のあるものにし、裏側も同素材    で作る。
（ハ）襟（２）裏側下部に垂れ部分（３）を設け、襟首に引っ掛ける形態とする。
本発明は、以上の構成よりなっている。
本発明を使用するときは、着用しているＴシャツ等の背中内側にガーゼの本体部分（  １）を挟み、襟部分（２）を外に出して折り返す。
日除けにする際は、襟部分（２）を立て、垂れ部分（３）をＴシャツ等の背側襟首に  かける。
汗取りガーゼにデザイン性のある襟を付け、外出時にも大いに使用できるようにした  もので、襟を立てて使用することにより首筋の日焼けを防ぐことができる。
【図面の簡単な説明】
【０００７】
【図１】本発明の表面図である。
【図２】本発明の裏面図である。
【符号の説明】
【０００８】１  本体
２  襟
３  垂れ部分
【図１】
2010121259.tif 000003
【図２】
2010121259.tif 000004
(57)【要約】【課題】  従来の介護用ズボンでは、介護用自動排便処理装置装着時には身体と装置が密着していることから穿くことが不可能である為、装置を装着している患者さんの負担を最小限に抑え、介護者が介助を楽に出来るズボンを提供することを課題とする。尚且つ、装置装着時以外でも普通に使用できるズボンを提供することを課題とする。【解決手段】  介護用自動排便処理装置装着時は、ズボンのお尻側のウエスト部から股下までを開き、ウエスト側のマジックテープを専用オムツに留める。ウエスト部から膝下位置までをオープンファスナーで開閉できるようにする。装置を装着しないときは、マジックテープを留め、前後反対して穿けるようにする。【選択図】図１
2010121258.tif 000002
【特許請求の範囲】
【請求項１】
介護用自動排便処理装置装着時に、両脇穿き口から股下までを開閉出来る様にし、少々の寝返りを打っても肌が露出せず身体に負担がかからないことを特徴とする介護用ズボン。
【請求項２】
上記のうえ、開閉部分を閉めることにより自動排便処理装置を装着しない時は普通の介護用ズボンとして使用できることを特徴とするズボン。
【発明の詳細な説明】
【技術分野】
【０００１】  本発明は、介護用自動排便処理装置装着時に用いるズボンの形状に関する。
【背景技術】
【０００２】  従来の介護用ズボンは両脇から裾まで全開閉式など、お尻側全体が覆われているものである。
【発明の開示】
【発明が解決しようとする課題】
【０００３】  従来の介護用ズボンでは、自動排便処理装置装着時には身体と装置が密着していることから穿くことが不可能である為、装置を装着している患者さんの負担を最小限に抑え、介護者が介助を楽に出来る介護用ズボンを提供することを課題とする。【０００４】  尚且つ、本発明は装置を装着していないときは普通の介護用ズボンとして使用できるズボンを提供することを課題とする。
【課題を解決するための手段】
【０００５】  以上の課題を解決するために、第一発明はお尻側のウエスト部から股下までをマジックテープで開閉出来ることを特徴とするズボンである。または、常時開口しているズボンである。【０００６】  第二発明は上記マジックテープを留め、前後反対にして穿くことを特徴とするズボンである。【０００７】  第三発明は、ウエスト側のマジックテープを介護用自動排便処理装置専用オムツに留めることが出来ることを特徴とするズボンである。【０００８】  第四発明は、ウエスト部から膝下位置までをオープンファスナーで開閉出来ることを特徴とするズボンである。または、ファスナーがなくても穿くことができる。
【発明の効果】
【０００９】  第一発明に因れば、自動排便処理装置装着時はマジックテープを外し、お尻部分を降ろすことで、通常の介護用ズボンで生じるたわみによる床ずれなどの負担を軽減する構造になる。【００１０】  第二発明に因れば、自動排便処理装置を装着していない時は、マジックテープを留め前後反対にして穿くことで、ズボンの隙間が気にならなくなる。【００１１】  第三発明に因れば、患者さんの露出部分を最小限に抑えることができ、多少の寝返りではズボンが肌蹴ることがなくなる。【００１２】  第四発明に因れば、重度身体硬縮等がみられた患者さんの場合でも安全に穿かせることが出来、介護者の労力の軽減にもつながる。
【発明を実施するための最良の形態】
【００１３】  図１は、本考案の介護用ズボンのマジックテープを外しお尻側のウエスト部から股下までを開いた状態を示した図である。マジックテープを留めて穿くときは、前後反対にして穿く。マジックテープを外して穿く時、ウエスト側のマジックテープはオムツに留めれるようにする。患者さん及び介護者に対して安全面や労力の軽減に配慮し、ウエスト部から膝下位置までのオープンファスナーを設ける。
【実施例】
【００１４】  図１は後ろから見たズボンで、２・３はマジックテープ、１のお尻部分を開けた状態である。２のマジックテープをオムツに留めることができる。４のオープンファスナーでウエスト部から膝下位置までを全開閉することができる。
【産業上の利用可能性】
【図面の簡単な説明】
【００１５】
【図１】この発明のズボンの実施形態を示す図である。
【図２】常時開口しているタイプの図である。
【図３】介護用自動排便処理装置装着時の図である。
【図４】通常のズボンとして使用した場合の図である。
【符号の説明】
【００１６】  １  ズボンお尻開閉部分
２  マジックテープ（ウエスト側）
３  マジックテープ（お尻部分側）
４  オープンファスナー
５  介護用自動排泄処理装置及び専用オムツ
【図１】
2010121258.tif 000003
【図２】
2010121258.tif 000004
【図３】
2010121258.tif 000005
【図４】
2010121258.tif 000006
(57)【要約】【目的】    従来のネクタイと同じ、細いほうに巻きつけた結び方と、逆に太いほうに巻きつけ細いほうを前面に垂れさせた結び方の両方の結び方が出来るネクタイで細いほうと太いほうの色や柄を変えたフワッション性のあるネクタイにする。【構成】    ネクタイ本体の左右で細いほう（１）と太いほう（２）の真ん中ふきんで色、柄を変えたネクタイで太いほう（２）に細いほう（１）を巻きつけたネクタイの結び方である。【選択図】図７
2010121256.tif 000002
【特許請求の範囲】
【請求項１】
ネクタイ本体の左右で細いほう（１）と太いほう（２）の真ん中位で、色、柄を変え、太いほう（２）に細いほう（１）を巻きつけ、太いほう（２）の前に細いほう（１）が垂れ下がるように結んだネクタイである。
【発明の詳細な説明】
【発明の詳細な説明】
この発明は従来のネクタイと同じ結び方ともう一つ別の結び方のあるネクタイである。従来のネクタイは細いほうに幅広いほうを巻きつけて結び、幅広いほうが前に垂れ下がり、細いほうは後ろで隠れていた。この結び方は細まきや、太巻き等他の結び方でも、細いほうに、幅広いほうを巻き結びつけるのはみな同じであった。    本発明はこの、従来の結び方（図２、図３）も出来るが、もう一つ別の結び方も出来るものでこれを図面をもとに説明すれば、ネクタイ本体の左右で細いほう（１）と太いほう（２）の真ん中位で色、柄を変え、太いほう（２）に細いほう（１）を巻きつけ、図４、図５、図６、図７、のような順序で結んで、細いほう（１）が太いほう（２）の前に垂れ下がるように結んだネクタイである。これは太巻きでも細まきでも同じで太いほう（２）に細いほう（１）を巻きつける結び方は同じである。    この様なネクタイであるから従来と同じ結び方で楽しむことも出来、又、細いほう（１）を前に来るように結べば、２種類の色、柄を楽しむことが出来るおしゃれなネクタイである。
【図面の簡単な説明】
【図１】ネクタイ本体の正面図。
【図２】従来の結び方の例。
【図３】従来ネクタイの結んだ図。
【図４】新しい結び方の例。
【図５】新しい結び方の進め方の一例。
【図６】新しい結び方の進め方の一例。
【図７】新しい結び方の結んだ図。
【符号の説明】
１  ネクタイ本体の細いほう２  ネクタイ本体の太いほう
【図１】
2010121256.tif 000003
【図２】
2010121256.tif 000004
【図３】
2010121256.tif 000005
【図４】
2010121256.tif 000006
【図５】
2010121256.tif 000007
【図６】
2010121256.tif 000008
【図７】
2010121256.tif 000009
(57)【要約】【課題】鍋等を火にかけた使用時、下からの高温の熱による取っ手部分の焼き焦げ防止及び鍋等を持った時の取っ手部分の熱さを防止する。鍋等の取っ手部分の焼き焦げ防止、取っ手を持った時の熱さ防止具を提供する。【解決手段】薄いアルミ板を鍋等の取っ手の大きさに合わせて切り抜き、鍋等の取っ手上部の淵に引っ掛けるように曲げ、鍋等を火にかけた使用時、下からの高温の熱による取っ手部分の焼き焦げ防止及び鍋等を持った時の取っ手部分の熱さを防止することを特徴とする、鍋等の取っ手部分の焼き焦げ防止、取っ手を持った時の熱さ防止具である。【選択図】図１
2010121918.tif 000002
【特許請求の範囲】
【請求項１】
可撓性を有した一枚のアルミ板であって、折り曲げ部を介して基部と、鍋等を火にかけた使用時、下からの高温の熱による取っ手部分の焼き焦げ防止及び鍋等を持った時の取っ手部分の熱さを防止するための防止板とを設け、該防止板の両側に該基部から延設された、鍋等の取っ手上部の淵に引っ掛けるための引っ掛け爪を形成していることを特徴とする鍋等の取っ手部分の焼き焦げ防止具。
【発明の詳細な説明】
【技術分野】
【０００１】  この発明は、鍋等を火にかけた使用時、下からの高温の熱によって、取っ手部分の焼き焦げ及び鍋等を持った時の熱さ防止具に関するものである。
【背景技術】
【０００２】  従来、鍋等を火にかけた使用時、どうしても高温の熱が下から取っ手部分に伝わり、取っ手部分を焦がしていた。また、取っ手部分が下からの高温の熱により非常に熱くなり、素手で持つと火傷の危険があり、手袋をはめて持って移動させていた。忙しい家事の中で複数の作業を同時にこなす場合、手が濡れていた場合など、いちいち鍋等を移動する事に手袋をはめていた。
【発明の開示】
【発明が解決しようとする課題】
【０００３】  そのため次のような問題点があった。鍋等の取っ手部分が火にかけた使用時、下からの高温の熱による取っ手部分の焼き焦げが発生し、高価なものだと悔しい思いをするなど、新たに買い換えるなどの思わぬ出費があった。それから取っ手部分が焦げたりすると、取っ手部分が破損し、脱落の危険があった。また、取っ手部分を素手で触ると火傷の恐れがあり、手袋をはめての作業も、忙しい家事の中で複数の作業をこなす場合などでは、手が濡れていたりすると手袋をその都度装着したり取ったり作業の効率が悪かった。そこでこの発明は、鍋等を火にかけた使用時、下からの高温の熱による取っ手部分の焼き焦げを防止し、素手でいつでも鍋等の取っ手を持つことが出来、鍋等をより長持ちする事が出来、これを提供することを課題とする。
【課題を解決するための手段】
【０００４】  可撓性を有した一枚のアルミ板であって、折り曲げ部を介して基部と、鍋等を火にかけた使用時、下からの高温の熱による取っ手部分の焼き焦げ防止及び鍋等を持った時の取っ手部分の熱さを防止するための防止板とを設け、該防止板の両側に該基部から延設された、鍋等の取っ手上部の淵に引っ掛けるための引っ掛け爪を形成していることを特徴とする鍋等の取っ手部分の焼き焦げ防止具。
【発明の効果】
【０００５】  本発明は、鍋等を火にかけた使用時に下からの高温の熱による取っ手部分の焼き焦げや、鍋等を持った時の取っ手部分の熱さを、鍋等の取っ手部分の焼き焦げ防止、取っ手を持った時の熱さ防止具が下からの高温の熱を吸収し、上部にある鍋等の取っ手部分に熱が伝わるのを最小限に抑えるので、取っ手があまり熱くならず、素手で持てるので手袋をはめる必要がない。高価な鍋等や、お気に入りの鍋等の取っ手部分を焼き焦げから守りより長持ちさせる事が出来る。
【発明を実施するための最良の形態】
【０００６】  以下、本発明の実施の形態を説明する。
（イ）一枚の薄いアルミ板を使用しこれを防止板（１）とし、防止板（１）の両側に引っ掛け爪（２）を作るための切り込み（５）を設ける。
（ロ）防止板（１）と基部（３）の間に、折り曲げるための溝（４）を設ける。
本発明は以上のような構造で、これを使用する時は、防止板（１）を片手で持ち、基部（３）をもう一方の手で持ち、折り曲げ部（４）の所で直角に曲げる。
次に、使用する鍋（６）等の取っ手（７）に引っ掛かるように引っ掛け爪（２）を曲げ、鍋（６）等の取っ手（７）と防止板（１）の高さを調整する。この時鍋等の取っ手を持った時に手が防止板（１）に触れないように出来るだけ間をあける。
【図面の簡単な説明】
【０００７】
【図１】本発明の斜視図である。
【図２】本発明の完成図である。
【図３】本発明の実施例である。
【図４】本発明の他の実施例である。
【符号の説明】
【０００８】１  防止板
２  引っ掛け爪
３  基部
４  折り曲げ部
５  切れ込み部
６  鍋
７  取っ手
【図１】
2010121918.tif 000003
【図２】
2010121918.tif 000004
【図３】
2010121918.tif 000005
【図４】
2010121918.tif 000006
(57)【要約】【課題】音声を正しく且つ良好な音質で再生することができる無線通信システムを提供する。【解決手段】屋外子局設備２０に音声再生装置２３を設置し、この音声再生装置２３に予め音声データを保存することにより、統制局設備１０から屋外子局設備２０音声再生指示信号を出力するだけで、屋外子局設備２０の音声再生装置２３で音声データの再生を行い、拡声スピーカ２２から音声を出力する。【選択図】図２
2010068390.tif 000002
【特許請求の範囲】
【請求項１】
統制局と少なくとも１つの子局とを備えた無線通信システムにおいて、
前記子局に音声再生装置を設置し、前記音声再生装置に音声データを保存することにより、前記統制局から前記子局に音声再生の指示信号を出力することで、前記音声再生装置で音声データの再生を行うことを特徴とする無線通信システム。
【発明の詳細な説明】
【技術分野】
【０００１】
この発明は、無線通信システムに係り、特に統制局からの指示に基づいて屋外子局で音声を出力するシステムに関する。
【背景技術】
【０００２】
例えば、市町村デジタル同報通信システムや県防災無線システム等の同報無線システムでは、屋外子局でメロディやチャイム等の楽音を出力させる際、統制局から楽音のデータを屋外子局へ伝送し、屋外子局にて拡声スピーカで再生することが行われている。
【０００３】
図３に、上記従来の無線通信システムの構成を示す。統制局設備１として、ユーザＵにより操作される操作・表示装置２と、この操作・表示装置２に接続された制御装置３が設置されている。一方、屋外子局設備４として、制御装置５と、この制御装置５に接続された拡声スピーカ６が設置されている。統制局設備１の制御装置３と屋外子局設備４の制御装置５との間で無線の送受信が行われる。
統制局設備１の制御装置３から無線回線を介して規定のＣＯＤＥＣに変換された音声データが送出され、この音声データを受信した屋外子局設備４の制御装置５により拡声スピーカ６から音声が出力される。
このような従来の無線通信システムとして、例えば、特許文献１に示すシステムがある。
【０００４】
【特許文献１】特開２００６−２４６３４８号公報
【発明の開示】
【発明が解決しようとする課題】
【０００５】
しかしながら、統制局設備１から屋外子局設備４に音声データが伝送されるので、何らかの原因で正しいデータ伝送ができない場合には、屋外子局設備４で音声を正しく再生することが困難になってしまう。また、データ化に際した音声の高圧縮により、伝送レートに依存して再生音質の低下を来すおそれがある。
この発明はこのような問題点を解消するためになされたもので、音声を正しく且つ良好な音質で再生することができる無線通信システムを提供することを目的とする。
【課題を解決するための手段】
【０００６】
この発明に係る無線通信システムは、統制局と少なくとも１つの子局とを備えた無線通信システムにおいて、子局に音声再生装置を設置し、この音声再生装置に音声データを保存することにより、統制局から子局に音声再生の指示信号を出力することで、音声再生装置で音声データの再生を行うものである。
【発明の効果】
【０００７】
この発明によれば、子局に設置された音声再生装置に音声データを保存することで、統制局から子局に音声データを伝送しなくても子局において音声を再生することができ、音声を正しく且つ良好な音質で再生することが可能となる。
【発明を実施するための最良の形態】
【０００８】
以下、この発明の実施の形態を添付図面に基づいて説明する。
図１に実施の形態に係る無線通信システムの構成を示す。統制局設備１０として、ユーザＵにより操作される操作・表示装置１１と、この操作・表示装置１１に接続された制御装置１２が設置されている。一方、屋外子局設備２０として、制御装置２１と、この制御装置２１に接続された拡声スピーカ２２と、さらに制御装置２１に接続された音声再生装置２３とが設置されている。統制局設備１０の制御装置１２と屋外子局設備２０の制御装置２１との間で無線の送受信が行われる。
音声再生装置２３は、音声データを保存するためのメモリを内蔵すると共に、制御装置２１からの指示に基づき音声データを再生して拡声スピーカ２２から出力させることができる。
【０００９】
次に、この無線通信システムの動作について説明する。まず、図１に示されるように、ユーザＵが統制局設備１０の操作・表示装置１１を操作することにより、予め、屋外子局設備２０へ送ろうとする音源の音声がデータ化され、統制局設備１０の制御装置１２から屋外子局設備２０の制御装置２１へと転送される。屋外子局設備２０の制御装置２１で受信された音声データは、音声再生装置２３のメモリ内に保存される。このようにして、音源の音声データが屋外子局設備２０側で管理される。
【００１０】
次に、音声の再生を行う場合には、図２に示されるように、統制局設備１０の操作・表示装置１１から制御装置１２を介して屋外子局設備２０の制御装置２１へ音声再生指示信号が送信される。この音声再生指示信号に基づいて音声再生装置２３のメモリから音源の音声データが読み出され、拡声スピーカ２２から音声が出力される。
このとき、音声データはすでに屋外子局設備２０側で管理されており、統制局設備１０から屋外子局設備２０に音声再生指示信号のみを送信するだけで済むので、伝送レートに依存して再生音質の低下を来すおそれもなく、音声を正しく再生することが可能となる。
【００１１】
再生時に統制局設備１０から屋外子局設備２０に音声データそのものを伝送する必要がないため、音源の楽音の内容に応じてＭＩＤＩ等のデータ化を行うことにより、音声データの高圧縮を図ることができ、伝送レートが低い無線区間においても再生音質を確保することが可能となる。
【図面の簡単な説明】
【００１２】
【図１】実施の形態に係る無線通信システムの音声データ転送時における状態を示すブロック図である。
【図２】実施の形態に係る無線通信システムの音声再生時における状態を示すブロック図である。
【図３】従来の無線通信システムの構成を示すブロック図である。
【符号の説明】
【００１３】
１０  統制局設備、１１  操作・表示装置、１２  制御装置、２０  屋外子局設備、２１  制御装置、２２  拡声スピーカ、２３  音声再生装置、Ｕ  ユーザ。
【図１】
2010068390.tif 000003
【図２】
2010068390.tif 000004
【図３】
2010068390.tif 000005
(57)【要約】【課題】一日中靴を履いていると両側から圧迫され足指が張り付いた状態になる。又、足に合わない先の細い靴や、ヒ−ルの高い靴を長年履き続けると徐々に足指に何らかの変形が現れ外反母趾でひどくなると、痛みやはれを伴う等で歩行に異常を起こすことがある。これを予防するためには日々のケアが大切で靴を脱いでくつろいでいる時等に、張り付いた足指間を広げ正常な状態に戻し変形を予防するバンドを提供する。【解決手段】２本状の柔軟性のあるバンド図１に、突部、くぼみ部のあるバンドの止め当て部図１，８を  第１指の裏に当て、くぼみ部を  第１指と第２指間に挿入し、突部を第２指上に、第２指と第３指の間にくぼみ部を挿入、第３指の上に突部を第３指と第４指の間にくぼみ部を挿入、第４指の上に突部を第４指と第５指の間にくぼみ部を挿入して、第５指の裏に止め当て部図１，９を当て装着する、図２に示す使用状態において全体の指間を広げることができる足指変形予防バンド。【選択図】図１
2010068897.tif 000002
【特許請求の範囲】
【請求項１】
２本状バンドに、突部と、くぼみ部と、両端の止め当て部より構成され、バンドが足指５
指間全体を広げることを特徴とする足指変形予防バンド。   
【請求項２】
前記２本状のバンドを柔軟性のある樹脂を用いて、バンドのくぼみ部に隙間をもうけ形成
した個々、くぼみ部両端を互いに外側に引き合うと、くぼみ部の隙間が広がりバンドの長
さが長くなり、又は両端を互いに内側に押し合うと、くぼみ部の隙間が狭くなりバンドの
長さが短くなる、請求項１記載の足指変形予防バンド。
【請求項３】
前記２本状バンドを柔軟性のあるビニ−ル皮膜の針金を用いて、形成した請求項１又は２
のいずれかに記載の足指変形予防バンド。
【請求項４】
前記２本状バンドを板状にして柔軟性のある樹脂を用いて、形成した請求項１又は２のい
ずれか記載の足指変形予防バンド。
【請求項５】
前記２本状バンドを板状にして熱司塑性エラストマ−又はゴムを用いて、形成した請求
項１又は２いずれかに記載の足指変形予防バンド。
【請求項６】
前記２本状バンドを板状にしてシリコ−ンゴムを用いて、形成した請求項１又は２いずれ
かに記載の足指変形予防バンド。
【発明の詳細な説明】
【技術分野】
【０００１】
本発明は足指の変形を予防するための足指変形予防バンドに関する。
【背景技術】
【０００２】
間接が固くなり変形してしまう疾患で指先が床に着いた状態で歩行しなければならない状
態を少しでも軽減するためのもので、固くなり曲がってしまつた指の関節を起こすための
指枕部、親指と小指に引っ掛けて指枕を足に固定する親指と小指用２つの固定用ル−プと
２つの固定用ル−プ間に、親指と人差指の指間用、人差指と中指の指間用、中指と薬指の
指間用の３つの指間挿入用突起を指枕部に突説、構成される布製足指矯正具である。（特
許文献１)
【０００３】
従来から様々な矯正具、健康器具が提供されている、例えば５指間又は足裏を磁石で刺激
する足裏健康器具、足指５全指を個々のリングに入れる足用健康器具。
【特許文献１】実登第３１２５６００号    布製足指矯正具。
【特許文献２】実登３１１８８７７  足裏健康器具。
【特許文献３】特開２００７―０５０１５６  足用健康器具。
【発明の開示】
【発明が解決しようとする課題】
【０００４】
上記の様な矯正具、健康器具があるが装着に不便である、よって本発明は簡単に装着でき
５指間全体の指間を広げる足指変形予防バンドを提供する。
【課題を解決するための手段】
【０００５】
上記問題を解決することを目的とし、柔軟性樹脂を用いて２本状からなるバンドの広い方
のくぼみ部を第１指と第２指間に挿入し、第１指の裏に止め当て部を当て突部を第２指の上に、第２指と第３指の間にくぼみ部を挿入、第３指の上に突部を第３指と第４指の間にくぼみ部を挿入、第４指の上に突部を第４指と第５指の間にくぼみ部を挿入して第５指裏に止め当て部を当てて、構成された足指変形予防バンド。
【発明の効果】
【０００６】
５指全体を広げることができ簡単に装着でき、製造コストも低減できる。
【０００７】
外反母趾の予防、外反母趾の治療、更に外反母趾矯正用にも使用できる。
【発明を実施するための最良の形態】
【０００８】
この発明の実施形態を図１、図２、図３に示し詳細に説明する。
【実施例】
【０００９】
図１は本発明の２本状足指変形予防バンドの斜視図、図２は足指変形予防バンドの装着図
図３は第１指裏に止め当て部８を当て、第５指裏に止め当て部９を当てた装着足裏図。
【００１０】
第１指と第２指間とさらに第４指と第５指間には隙間調整のためのもう一度、突部まで上げおり返し部を下部止め当て部に図１の、８、９。
【００１１】
図１の１、２、３は突部、図１の４、５、６、７はくぼみ部、図１の１５、１６は折り返
し部。
【００１２】
図１のくぼみ部４、５、６、７と、折り返し部１５、１６にそれぞれ指間調整用に２〜３
ｍｍの隙間を開ける。
【００１３】
図１の４、５、６、７及び１５、１６の隙間は柔軟性があるので足指間の狭い時は隙間も狭く、足指間の広い時は隙間も広くなる。
【００１４】
板状で形成する場合はくぼみ部、図１の４、５、６、７と、折り返し部１５、１６には、
隙間をもうけず板状だけでもよい。
【００１５】
バンドは足指にそってカ−ブし、図１の５、６、７のくぼみ部は足指幅の勾配に合わせ低
くする。
【産業上の利用可能性】
【００１６】
外反母趾の基礎治療、更に外反母趾の矯正用にもなる。
【図面の簡単な説明】
【００１７】
【図１】足指変形予防バンドの傾斜図である。
【図２】足指変形予防バンドの装着傾斜図である。
【図３】足指変形予防バンドの装着足裏傾斜図である。
【図４】足指変形予防バンドの左側面傾斜図である。
【符号の説明】
【００１８】
1、2、3  バンドの突部
4、5、6、7  バンドのくぼみ部
8、9  バンドの止め当て部
10  第１指
11  第２指
12  第３指
13  第４指
14  第５指
15、16  バンドの折り返し部
【図１】
2010068897.tif 000003
【図２】
2010068897.tif 000004
【図３】
2010068897.tif 000005
【図４】
2010068897.tif 000006
(57)【要約】【課題】病院などに設置されている床頭台に備え付けられているテレビや冷蔵庫で無料または定額性にて利用提供した場合、当人が不在でもテレビ点けっぱなしや収納物が無いのに冷蔵庫の電源が入りっぱなしとなっていることがあり、無駄使いが多い。【解決手段】床頭台の引出しや扉の鍵機能と連動させて、開錠されている時のみ、テレビの電源が入り視聴可能となり、且つ冷蔵庫の電源の入切の制御が可能となることで解決できる。【選択図】図１
2010068502.tif 000002
【特許請求の範囲】
【請求項１】
病院、老人ホーム、ホテル  等に設置される床頭台において、引出しや扉の鍵機能と連動し、開錠状態のみテレビに電源が供給される電源制御機能付きの鍵機能を有する庄頭台
【請求項２】
［請求項１］において、引出しや扉の鍵機能と連動し、開錠状態のみ冷蔵庫の電源を入切することができる電源制御機能付きの鍵機能を有する床頭台
【発明の詳細な説明】
【技術分野】
【０００１】  本発明は、病院、老人ホーム、ホテル  等に設置される床頭台に関するものである。
【背景技術】
【０００２】  病院、老人ホーム、ホテル等に設置されている床頭台は、患者様やお客様の利便向上のため引出しや扉に鍵機能を有し、テレビ、冷蔵庫  等を備え、利用提供している場合が多く、利用料金を無料または定額性にて利用提供している場合、テレビが視聴されていなくてもテレビが点けっぱなしとなっていたり、収納物が無いのに冷蔵庫の電源が入れっぱなしとなっていたりと、テレビや冷蔵庫の無駄使いが多々あり、これらの無駄使いを防止できる機器は、存在しない。
【発明の開示】
【発明が解決しようとする課題】
【０００３】  床頭台に備え付けられているテレビや冷蔵庫  等では、利用料金を無料または、定額性にて利用提供した場合、例えば、病院などでテレビを視聴していなくても、テレビの電源を点けっぱなしでベッドから離れてしまうことにより、相部屋の他の患者に迷惑をかけたり、また、電気使用料金の無駄使いとなる。【０００４】  冷蔵庫においても同様に収納物が無いのに、冷蔵庫の電源が入れっぱなしになっていることにより、電気使用料金の無駄使いとなる。
【課題を解決するための手段】
【０００５】  本発明は、床頭台の引出しや扉の鍵機能と連動させ、開錠されている状態の時にテレビに電源が供給され視聴することが可能となる。また、冷蔵庫の電源の入切の制御が可能となる。
【発明の効果】
【０００６】  本発明は、床頭台の引出しや扉の鍵機能と連動させ、開錠されている状態の時にテレビの電源が供給され視聴することが可能となり、また、冷蔵庫の電源制御が可能となることで、テレビや冷蔵庫の無駄使いを防止し、且つ電気使用料金の無駄使いを防止させる効果がある。【０００７】病院等の相部屋において、当人が不在時にテレビの点けっぱなしを防止させる効果がある。
【発明を実施するための最良の形態】
【０００８】  ［図１］に示すとおり、床頭台に電源制御機能を有する機器（１）を組み込み、その機器の背後にテレビ（２）または、冷蔵庫（３）を接続するコンセントを配置し、そのコンセントにテレビ（２）または、冷蔵庫（３）が接続される。電源制御を有する機器（１）に鍵または鍵機能を有するカード、アダプタ  等（４）を接続された時は、引き出しまたは扉（５）が開錠状態となり、テレビ（２）へ電源が供給され視聴できる状態となる。冷蔵庫（３）については、電源制御を有する機器（１）内の冷蔵庫スイッチ（６）が押下されることにより、冷蔵庫（３）の電源がオンであればオフとなり、オフであればオンとなり、制御が可能となる。【０００９】  鍵または鍵機能を有するカード、アダプタ  等（４）が未接続の時は、引出しまたは扉（５）が施錠状態となり、テレビ（２）への電源が未供給となり視聴できなくなる。冷蔵庫（３）については、鍵または鍵機能を有するカード、アダプタ  等（４）を接続された時の状態を維持し、冷蔵庫スイッチ（６）が押下されても変化はない。【００１０】  ［図２］に電源制御機能を有する機器（１）のブロック図を示し、内部に電源回路（８）、制御回路（９）を内蔵し、鍵または鍵機能を有するカード、アダプタ  等（４）が接続された時、引出しまたは扉（５）の鍵機能（１０）が開錠となり、リレー１（１１）が閉となりテレビ（２）に電源が供給される。また、冷蔵庫スイッチ（６）を押下すると、リレー２（１２）が開であれば閉となり、閉であれば開となり冷蔵庫（３）への電源供給が制御される。
鍵または鍵機能を有するカード、アダプタ  等（４）が未接続の時、引出しまたは扉（５）の鍵機能（１０）が施錠され、リレー１（１１）は、開となりテレビ（２）に電源が供給されない。また、リレー２（１１）は、鍵または鍵機能を有するカード、アダプタ  等（４）が接続された時の状態を維持し、冷蔵庫スイッチ（６）を押下しても状態に変化はない。
【図面の簡単な説明】
【００１１】
【図１】電源制御機能付きの鍵機能を有する床頭台  外観の一例
【図２】電源制御機能付きの鍵機能を有する床頭台のブロック図
【符号の簡単な説明】
【００１２】１  電源制御機能を有する機器
２  テレビ
３  冷蔵庫
４  鍵または鍵機能有するカード、アダプタ  等
５  引出しまたは扉
６  冷蔵庫スイッチ
７  床頭台
８  電源回路
９  制御回路
１０  鍵機能
１１  リレー１
１２  リレー２
１３  ＡＣコンセント
【図１】
2010068502.tif 000003
【図２】
2010068502.tif 000004
(57)【要約】【課題】  より効果的にスピーカードライバーの背面からスピーカーボックスの内部に放出される音を消音させる必要がある。【解決手段】  スピーカーボックスの内部空間には、スピーカードライバーの背面から離れるにつれ、スピーカードライバーの振動軸に直行する方向の断面積が徐々に小さくなり、この断面積が最も狭い極小部を超えると断面積が極小部よりも大きくなる膨張部を備える。【選択図】        図１
2010068063.tif 000002
【特許請求の範囲】
【請求項１】
スピーカードライバーが取り付けられるスピーカーボックスにおいて、
前記スピーカーボックスの内部空間には、前記スピーカードライバーの背面から離れるにつれ、前記スピーカードライバーの振動軸に直行する方向の断面積が小さくなり、該断面積が最も狭い極小部を超えると前記断面積が前記極小部よりも大きくなる膨張部を備えたことを特徴とするスピーカーボックス。
【請求項２】
前記スピーカーボックスにおける前記スピーカードライバーの背面に対向する面が曲面で形成されたことを特徴とする請求項１に記載のスピーカーボックス。
【発明の詳細な説明】
【技術分野】
【０００１】
本発明は、スピーカーボックスにスピーカードライバーが取り付けられたスピーカーボックスに関する。
【背景技術】
【０００２】
スピーカーボックスには、大別して密閉型とバスレフ型とに分けることが出来る。スピーカードライバーの正面だけからの出力を使用する密閉型のスピーカーボックスは、他のどのシステムと比較して、一般的に低音の瞬間的なレスポンスや位相特性に優れる。
【発明の開示】
【発明が解決しようとする課題】
【０００３】
スピーカーボックスの内部空間において、平行に向かい合った壁が存在すると、定在波が発生し、特定の周波数だけ音が強調される結果、周波数特性がフラットにはならなくなる。そこで、特許文献１に示されるように、スピーカーボックス内部に吸音材を入れることで、エンクロージャー内の不要な共鳴を吸収させている。
【特許文献１】特開昭５８−２９２９２号公報
【０００４】
しかしながら、吸音材を使用すると、スピーカーから音圧が減少するというデメリットが生じる。
【課題を解決するための手段】
【０００５】
本発明は上述の課題を解決するために、スピーカーボックスの内部空間には、スピーカードライバーの背面から離れるにつれ、スピーカードライバーの振動軸に直行する方向の断面積が徐々に小さくなり、この断面積が最も狭い極小部を超えると断面積が極小部よりも大きくなる膨張部を備える。
【発明の効果】
【０００６】
本発明によれば、スピーカードライバー背面からの音の伝搬を効果的に吸収拡散することが出来る。
【発明を実施するための最良の形態】
【０００７】
以下、本発明による最良の実施形態を、添付図面を参照しながら説明する。
【実施例１】
【０００８】
以下、本発明の実施例を説明する。図１、図２はそれぞれ本発明装置の上面図及び正面図である。密閉型のスピーカーボックス２にはスピーカードライバー３が取り付けられている。スピーカーボックス２の内部には２つの隔壁４，５が設けられており、スピーカードライバー３の背面からスピーカーボックス２の奥に向けて次第にスピーカードライバーの振動軸に直行する方向の断面積が小さくなるような形状とされている。
【０００９】
２つの隔壁４，５との距離が最も狭い極小部６を超えると、２つの隔壁４，５との距離は一転して広くなる。スピーカードライバー３の背面に相対する相対面７は曲面となっており、スピーカードライバー３の背面から放出された音はこの曲面に反射されることによって拡散し、特定の方向に向かって対して一律に反射されることがないように構成されている。
【００１０】
極小部６を越えた音波は左右に分かれて隔壁４，５の裏側の２つの膨張空間８，９に入り込む。この２つの膨張部８，９によって、スピーカードライバー３を密閉型のエンクロージャーとして使用する際に必要な容積を得ることができる。
【００１１】
以上の構成において、スピーカーボックスは徐々に断面積が狭くなり、極小部６を経た後、一転して断面積が大きくなるよう形成されているため、一般的なチャンバーと呼ばれる構成と同一である。即ち、断面積の減少によって絞られた音波は極小部６から膨張部８，９に放出されるため、音波を減衰する効果が得られる。
【実施例２】
【００１２】
上記の実施例１においては、極小部６を超えた部分が隔壁４，５の裏側に回り込んでおり、その結果、スピーカーボックス２が折りたたまれている形状とされているが、本発明はこれに限定されることなく、極小部６の前後を直線状に形成することも可能である。
【００１３】
図３、図４は第２の実施例におけるスピーカー１０の上面図及び正面図である。スピーカードライバー３の背面側の空間はスピーカードライバー３の背面から離れるにつれ徐々に狭くなり、極小部１６を超えると、一転してスピーカードライバー３の振動軸に対して直行する方向の断面積が大きくなる膨張部１８が形成されるよう、スピーカーボックス１２が形成されている。
【００１４】
スピーカーボックス１２内のスピーカードライバー３から一番離れた部分は第１の実施例と同様、曲面１７とされており、スピーカードライバー３の背面から放出された音がこの曲面に反射されることによって拡散し、特定の方向に向かって対して一律に反射されることがないように構成されている。
【００１５】
第１の実施例と同様、極小部１６と膨張部１８によって、所謂チャンバーが構成されているため、スピーカードライバー３の背面からの音圧を効率的に消音させることが可能となる。
【００１６】
なお、本発明は上述の実施例に限定されることなく、種々の対応を取り得る。例えばスピーカードライバー３の背面からの音は一旦極小部１６を通過してから膨張部に放出されるが、この膨張空間の形状は任意の形状を取り得る。
【００１７】
以上のごとく、スピーカーボックス内に極小部と膨張部を設けることにより、スピーカードライバーからスピーカーボックス内に放出される音を効果的に消音させることが可能となる。
【図面の簡単な説明】
【００１８】
【図１】スピーカー１の上面図。
【図２】スピーカー１の正面図。
【図３】スピーカー１０の上面図。
【図４】スピーカー１０の正面図。
【符号の説明】
【００１９】
１、１０  スピーカー
３  スピーカードライバー
４、５  隔壁
６、１６  極小部
７、１７  曲面
８、９、１８  膨張空間
【図１】
2010068063.tif 000003
【図２】
2010068063.tif 000004
【図３】
2010068063.tif 000005
【図４】
2010068063.tif 000006